(57)【要約】【課題】  本発明は、従来技術と比べて軽くされ、側部と中心の支持体に対し略同じ質量の陰極支持構造を有することによって、陰極の温度上昇差を回避することを目的とする。【解決手段】  支持手段を有する電子銃であって、支持手段は、陰極を取り囲み、陰極に溶接されるアイレットと、電子銃の長手軸と略平行であり、アイレットを部分的に取り囲むよう折り曲げられる中心部（１５２）と、中心部から両側に延在し、中心部に領域（１５５）によって接続される２つの側部アーム（１５１）とを含む金属プレート（１５０）とを含む。領域（１５５）は、長手軸の方向において、側部アームの長手軸の方向における幅より大きい幅を有する。このような種類の構造は、３ビーム電子銃の側部及び中心陰極について同じ支持体を用いることを可能にする。【選択図】  図５
2004281397.tif 000002
【特許請求の範囲】
【請求項１】
支持手段を用いて適切な位置に保持され、略管状の少なくとも１つの放出陰極を含む電子銃において、前記支持手段は、
前記陰極を取り囲むアイレットと、
前記電子銃の長手軸と略平行であり、前記アイレットを部分的に取り囲むよう折り曲げられる中心部と、前記中心部から両側に延在する２つの側部アームとを含む金属プレートとを含む前記電子銃であって、
前記中心部と前記側部アームを接続する領域は、前記長手軸の方向において、前記側部アームの前記長手軸の方向における幅より大きい幅を有することを特徴とする電子銃。
【請求項２】
３つの放出陰極を含み、
前記陰極の前記アイレットを部分的に取り囲む前記金属プレートは、略同一の重量を有する３つの金属プレートを含むことを特徴とする請求項１記載の電子銃。
【請求項３】
前記電子銃の前記長手軸の方向における前記側部アームの幅は、前記金属プレートの前記長手軸の方向における全幅の半分より小さいことを特徴とする請求項１記載の電子銃。
【請求項４】
前記側部アームは、それぞれの端において、１８０°より小さい角度を形成するよう折り曲げられる部分を含むことを特徴とする請求項１記載の電子銃。
【請求項５】
前記中心部は、前記長手軸の方向において、前記接続領域の幅より小さい幅の領域を有することを特徴とする請求項１記載の電子銃。
【請求項６】
前記中心部にくぼみが設けられることを特徴とする請求項１記載の電子銃。
【請求項７】
前記くぼみは、前記側部アームの延長部に配置されることを特徴とする請求項６記載の電子銃。
【請求項８】
請求項１乃至７のうちいずれか一項記載の電子銃を含むことを特徴とする陰極線管。
【発明の詳細な説明】
【技術分野】
【０００１】
本発明は、陰極線管用の電子銃構造に関わり、より具体的には、電子銃の放出陰極用の支持体として機能する構造に係る。
【背景技術】
【０００２】
テレビジョン陰極線管といった表示装置は、フェースプレートとファンネル形状の後部からなるガラスの外囲器を含む。陰極線管が、カラー画像を再現する陰極線管である場合、蛍光スクリーンがフェースプレートの内面上に配置される。このスクリーンは、赤、緑、青の３つの原色に対応する３つの蛍光体アレイを含む。電子銃は、陰極線管の後部において、円筒ネック内に配置され、電子銃の出力において陰極線管の周りに配置される偏向装置によって生成される磁界の作用を受けてスクリーンを走査する１つ以上のビームを生成する。
【０００３】
陰極線管用の電子銃は、１つ以上の放出陰極から放射された１つ以上の電子ビームを加速し且つ整形するための一連の電極を含む。これらの電極は、長手軸に沿って連続的に配置される。
【０００４】
カラー画像を再現するよう設計される陰極線管について、電子銃は、一般的に、長手軸に対し垂直な全く同一の方向で一列に配置される３つの陰極を含む。
【０００５】
各陰極は、アイレット内に配置され、陰極はこのアイレットに溶接される。アイレット、従って、陰極は、金属部により適当な位置に保持される。陰極は、金属部に溶接される。金属部は、その端が、電子銃の長手軸に沿って延在する２つの予熱されたガラスビーズ内に挿入される２つのアームから構成され、ガラスビーズも、電子銃の様々な電極を互いに対し保持するよう機能する。
【０００６】
電子銃は、陰極線管の後部に、磁気偏向装置により生成される磁界に対する電子ビームの感度を最適化するようその直径が最小にされる円筒ネック内に挿入される。
【０００７】
全く同一の方向で一列に配置される陰極は、この同じ方向において、ガラスビーズの全体寸法より大きい全体寸法を有する。例えば、特許文献１に記載される従来技術では、側部アイレットを支持するアームは同一であるが、中心アイレットを支えるアームとは異なる。このことは、陰極線管の動作時には、側部及び中心陰極線管の機械的及び温度特性が同一ではないことを意味する。例えば、異なる金属容積によって中心及び側部支持体の熱慣性が異なるので、陰極の温度は、異なる速度で上昇し、従って、異なる時間に公称のレーティングに到達し、それにより、陰極線管がオンにされた後の過渡期間に画像の脱色をもたらす。
【特許文献１】米国特許第４，１５１，４４１号
【発明の開示】
【発明が解決しようとする課題】
【０００８】
本発明は、従来技術と比べて軽くされ、側部と中心の支持体に対し略同じ質量の陰極支持構造を有することによって、陰極の温度上昇差を回避することを１つの目的とする。
【課題を解決するための手段】
【０００９】
このために、本発明の陰極線管用の電子銃は、支持手段を用いて適切な位置に保持され、略管状の少なくとも１つの放出陰極を含む。支持手段は、
−陰極を取り囲むアイレットと、
−電子銃の長手軸と略平行であり、アイレットを部分的に取り囲むよう折り曲げられる中心部と、中心部から両側に延在する２つの側部アームとを含む金属プレートとを含み、中心部と側部アームを接続する領域は、長手軸の方向において、側部アームの長手軸の方向における幅より大きい幅を有することを特徴とする。
【発明を実施するための最良の形態】
【００１０】
本発明は、その様々な利点と共に、以下の説明及び図面によってより良好に理解することができるであろう。
【００１１】
図１は、カラー陰極線管のネック１３内に配置されるインライン型の電子銃１１を示す。陰極線管は、内部に高い真空が生成されるガラス外囲器から構成される。陰極線管のネックは、その中を導体１７が通され、電子銃の電極を異なる電圧に繋ぐ基部１５により終端される。電子銃は、陰極線管の長手軸Ｚと一致する中心軸を有し、陰極線管のスクリーン上に収束する３つの電子ビームを生成する。電子銃の様々な連続する電極（２５、２７、２９、３１）は組み立てられて、略平行六面体の形状の絶縁ガラスビーズ２１ａ、２１ｂによって、互いから正確な距離で保持され、ガラスビーズの最長の寸法は、電子銃の長手軸Ｚの方向に延在する。これらの電極は、導体１７に直接電気接続されるか、又は、ストリップ片３５により電気的に接続される。電子銃は、基部から最も離れた電極上に配置されるバネ３７によって陰極線管のネック内の中心に置かれ、バネは、円筒ネックの内部と接触する。
【００１２】
３つの陰極２３が、一列に配置され、各陰極は、１つの電子ビームの発生源として用いられる。陰極は、略同一で、円筒形状を有し、電子放出物質の層がその上に付着されるキャップにより終端される。フィラメント４７が、陰極内に挿入され、フィラメントに電力を供給する機能も有する２つのラグ４０９によって適切な位置に保持される。
【００１３】
図２は、陰極とその支持手段を、断面図として詳細に示す。陰極２３は、陰極を少なくとも部分的に取り囲むアイレット６０に溶接され、その組立体は、その中心部５２がアイレットを部分的に囲みアイレットに溶接されるプレート５０によって電子銃の様々な電極に対し適切な位置に保持される。プレートは、２つの側部アーム５１を含み、その端５３は、熱いときに、ガラスビーズ２１ａ及び２１ｂ内に挿入される。
【００１４】
図３は、平面図として、従来技術による電子銃内の３つの陰極の組立体を示す。この３つの陰極に対し、アイレットは略同一であるが、端にある陰極のプレート５０と、中心の陰極のプレート５０’は異なる形状を有する。その形状は、図４の斜視図に、より詳細に示す。側部陰極のプレート５０と中心陰極のプレート５０’は、電子銃の長手軸Ｚと平行な面を有し、その軸Ｚの方向に略一定の幅を有する。
【００１５】
全体寸法と陰極間の間隔の理由から、支持体５０及び５０’は、ビーズ２１ａ、及び２１ｂに接続するアームの長さに関して少なくとも異なる。特に、中心陰極を支持するアーム５１’は短く、そのアームの延長部にある端５３’で終端する。
【００１６】
このようなタイプの陰極支持構造は、以下のような欠点を有する。
−側部及び中心支持体について、アームが同じ寸法、従って、同じ容積を有さないので、陰極線管の動作時には、中心陰極と側部陰極には温度上昇差が発生し、これは、それぞれの公称値において温度が安定するまで発生する。遷移的な加熱期間の間、中心及び側部陰極からの電子放出は異なり、これは、陰極線管のスクリーン上に生成される画像の脱色をもたらす。
−中心支持アームの端５３’は、アーム自体と実質的に一直線にされながらビーズ内に入るので、陰極の温度上昇による支持体５０’の膨張は、ビーズ２１ａ及び２１ｂに直接伝えられ、一方、支持体５０の膨張は、その支持体の弾性により部分的に吸収される。この弾性は、アイレットへの溶接点と端５３のビーズへの挿入点が一直線ではないということによるものである。このレベルにおいて、ビーズに与えられるこのような異なる機械的な力は、機械的安定性の問題をもたらし、更には、ビーズにひび割れを引き起こし得る。
【００１７】
本発明は、このような種類の問題に対する解決策を、例えば、図５及び６に示すような陰極支持構造によって提供する。
【００１８】
陰極支持手段２３は、
−陰極を取り囲むアイレット６０と、
−電子銃の長手軸Ｚと略平行な面を有するよう配置される金属プレート１５０とを含み、このプレートは、アイレットを部分的に取り囲むよう曲げられる中心部１５２と中心部の両側に延在する２つの側部アーム１５１を含む。側部アーム１５１は、接続領域１５５において中心部に接続され、中心部の長手軸方向における幅Ｌ’は、同じ方向における側部アームの幅Ｌ’’より大きい。
【００１９】
このようにすることにより、図７の側面図に示すように、長手軸Ｚにおける支持手段の全体寸法を顕著に増加することなく、３つの陰極に同じ支持手段１５０を用いること可能となる。
【００２０】
このために、幅Ｌ’’は、電子銃の長手軸Ｚの方向における支持体１５０の全幅の半分より小さい。
【００２１】
本発明の電子銃では、中心領域１５２は、３つの支持体１５０に対し、長手軸Ｚの方向において同じ水準に有利に配置され、それにより、陰極アイレットとの接触が、３つの陰極について同じ場所で行われる。このことは、支持体の質量も略同じであるという事実と共に、加熱過渡時における同じ温度特性を保証する。
【００２２】
１つの有利な実施例において、中心領域は、用いられる陰極支持体の質量を減少し、従って、陰極の温度上昇の速度を加速するようくぼみ１６０を有する。このくぼみ１６０は、側部アーム１５１の延長部に配置されることが好適であり、それにより、上述したように、中心領域１５２を長手軸Ｚに沿って同じ位置に配置することが可能となる。
【００２３】
側部アーム１５１の端１５３は、アームと一直線にならないよう折り曲げられる。端１５３とアームとの間の角度１５４は、１８０°未満であり、９０°と１５０°の間であることが好適である。このようにすると、陰極線管がオンにされたときの陰極の温度上昇による支持体１５０の膨張は、ビーズ内にひび割れを起こす危険性を引き起こすビーズ２１ａ及び２１ｂへの直接の伝達はなくなる。端１５３とアーム１５１との間の角度によって、アーム１５１の弾性による支持体１５０の膨張の吸収が可能となる。
【００２４】
上述した実施例は制限するものではない。例えば、略同様の形状を維持しながら、側部及び中心陰極支持体は、電子銃の他の電極の膨張効果を考慮に入れるようその質量を差別化し得る。
【図面の簡単な説明】
【００２５】
【図１】陰極線管の電子銃構造を示す側面図である。
【図２】電子銃における陰極とその支持手段を示す断面図である。
【図３】従来技術による構造におけるカラー陰極線管用の電子銃の３つのインライン陰極とその支持体を示す平面図である。
【図４】図３の３つのインライン陰極の支持アームを示す等角投影図である。
【図５】本発明の１つの実施例による陰極支持アームを示す等角投影図である。
【図６】本発明による構造におけるカラー陰極線管用の電子銃の３つのインライン陰極とその支持体を示す平面図である。
【図７】本発明の１つの実施例による陰極支持アームを示す側面図である。
【符号の説明】
【００２６】
１１  電子銃
１３  ネック
１５  基部
１７  導体
２１ａ、２１ｂ  ガラスビーズ
２３  陰極
２５、２７、２９、３１  電極
３５  ストリップ片
３７  バネ
４７  フィラメント
５０、５０’  プレート（支持体）
５１、５１’  側部アーム
５２、５２’  中心部
５３、５３’  側部アームの端
６０  アイレット
１５０  プレート（支持体）
１５１  側部アーム
１５２  中心部
１５３  端
１５４  端とアームとの間の角度
１５５  接続領域
１６０  くぼみ
４０９  ラグ
【図１】
2004281397.tif 000003
【図２】
2004281397.tif 000004
【図３】
2004281397.tif 000005
【図４】
2004281397.tif 000006
【図５】
2004281397.tif 000007
【図６】
2004281397.tif 000008
【図７】
2004281397.tif 000009